(57)【要約】      （修正有）【課題】目元に生えまつ毛が疎らで不規則に生えている状況下にあっても、まつ毛を継ぎ足した生え方が、生えまつ毛の欠落している箇所において本数でも増量していることになる組付けまつ毛を提供する。【解決手段】目元に沿って接着する縁部材５の一端又は両端に主毛材を設けた略Ｌ字形又は略Ｕ字形の増毛基材１と、主毛材２との並びに等間隔に配設して縁部材に接着して後付けする１本以上の副毛材３とからなる。長さだけでなく主に副毛材により本数でも増毛されるので、目元に生えまつ毛が疎らで不規則に生えている状況下にあっても、綺麗に目元を増毛してパッチリした目に変身させ得る。【選択図】図１
0003168802.tif 000002
【実用新案登録請求の範囲】
【請求項１】
目元に沿って接着する縁部材の一端又は両端に主毛材を設けた略Ｌ字形又は略Ｕ字形の増毛基材と、主毛材との並びに等間隔に配設して縁部材に接着して後付けする１本以上の副毛材とからなることを特徴とする組付けまつ毛。
【請求項２】
縁部材の上にそれと平行となる補助部材を設け、補助部材を主毛材に接続し一体化したことを特徴とする請求項１記載の組付けまつ毛。
【請求項３】
略Ｌ字形又は略Ｕ字形の増毛基材が、熱可塑性のプラスチック繊維の一端部又は両端部を直角方向へ屈折して加熱成形してなることを特徴とする請求項１又は２記載の組付けまつ毛。
【考案の詳細な説明】
【技術分野】
【０００１】
この考案は、生体の一部である生えまつ毛を利用しそれを土台に継ぎ足して増毛する施術に用いる形式に属する組付けまつ毛に関する。
【背景技術】
【０００２】
付けまつ毛には、目の縁に沿って接着する縁帯に多数の毛体を結着して配した配列型（特許文献１）や、目の縁に一本ずつ植えつける植毛型、生体の一部である生えまつ毛を利用する前記したような継ぎ型（特許文献２）の主に３つの形態がある。
【０００３】
本発明の付けまつ毛は、最後の継ぎ型に属するもので、従来、この継ぎ型であると身体の一部となっている生えまつ毛に一本ずつ接着剤で継ぎ足すものであるために、使用状態がしっかりとしており脱落することがなく比較的耐久性があるが、生えまつ毛の生え状態が一様ではなく個人的に異なるために問題もあった。
【先行技術文献】
【特許文献】
【０００４】
【特許文献１】特公昭５２−２８０６３号公報
【特許文献２】特開２００８−２５５５５７号公報
【考案の概要】
【考案が解決しようとする課題】
【０００５】
身体と一体の生えまつ毛は、個人的に身体の調子によって生え方が異なり、入院しているような特に重病の患者であると、目の縁にまつ毛がランダムに生えており、間がすいて疎らな生え方であることが多い。このような状況において、数少ない生えまつ毛に継ぎ足しても、本数が増える訳でなく単にまつ毛が長くなっただけであるから、体裁の良いふさふさ感が得られ難かった。
【０００６】
また、まつ毛が生えている方向が不規則で乱雑であることが多く、そうすると継ぎ足される付けまつ毛の方向も不規則となるため、等間隔おきに美しく整然と生えそろったボリュウムのある付けまつ毛でチャーミングな目元を作るということはできなかった。しかしながら、パッチリとした美しい自分の目を鏡にうつしたとき、入院中であれば、回復に向けて非常に勇気づけられるという。また、健康な人にとっても快感とともに希望が与えられる。
【０００７】
この考案は、上記のような実情に鑑みて、目元に生えまつ毛が疎らで不規則に生えている状況下にあっても、まつ毛を継ぎ足した生え方が、生えまつ毛の欠落している箇所において本数でも増量していることになる組付けまつ毛を提供することを課題とした。
【課題を解決するための手段】
【０００８】
上記の課題を解決するために、この考案は、目元に沿って接着する縁部材の一端又は両端に主毛材を設けた略Ｌ字形又は略Ｕ字形の増毛基材と、主毛材との並びに等間隔に配設して縁部材に接着して後付けする１本以上の副毛材とからなることを特徴とする組付けまつ毛を提供する。
【０００９】
組付けまつ毛を上記のように構成したから、これを使用するときには、生えまつ毛が疎らでランダムであるとすると、その中からしっかりした柱となる少なくとも２本の生えまつ毛を選定し、それに主毛材を添えて接着するとともに、縁部材を目元に接着して増毛基材を取り付ける。こうして増毛基材を設定してから、縁部材に接着して副毛材を等間隔に取り付ける。
【考案の効果】
【００１０】
以上説明したように、この考案の組付けまつ毛によれば、長さだけでなく主に副毛材により本数でも増毛されるので、目元に生えまつ毛が疎らで不規則に生えている状況下にあっても、綺麗に目元を増毛してパッチリした目に変身させ得るという優れた効果がある。
【図面の簡単な説明】
【００１１】
【図１】この考案による複数の組付けまつ毛により目に増毛施術を施す要領を示す説明図である。
【図２】同要領により施術を施し増毛した状態を示す正面図である。
【図３】この考案による組付けまつ毛を構成する増毛基材であって、（イ）、（ロ）、（ハ）、（ニ）のそれぞれにおいて異なる形態を示す説明図である。
【図４】この考案の一実施例の組付けまつ毛の作り方を示す斜視説明図である。
【考案を実施するための形態】
【００１２】
この考案の組付けまつ毛Ｐ，Ｑは、目Ｅのまぶたに直接取り付ける増毛基材１とそれに後付けする複数本の副毛材３，３，・・とからなり、増毛基材１には主毛材２を有するので、主副毛材２，３により本数で増毛がなされる。この増毛基材１には、図３に示すように、主毛材２が１本であるＬ字形の同図（イ）（ロ）と、２本であるＵ字形（ハ）、（ニ）とに分けられる。一般的に、その両方を状況を見て箇所により選択的に使用することになる（図１）。
【００１３】
増毛基材１には、その主毛材２を立てる縁部材５を有し、これが目元に接着されるが、これは線状又は帯状等の形状とする。細い線状で柔軟であると目を開閉する動きに従動しやすく違和感を与えなく、また、熱可塑性のプラスチック繊維を成形素材に使用すれば、増毛基材１を縁部材５と主毛材２，２との両方同時に成形できる。
【００１４】
図４は、その場合の製造装置を示したもので、中空の四角形の金型２０の中にヒーター２２が内装され、素材としての繊維２４を置いて両端（又は一端）を押し下げると、縁部材５を上面２０ａで、主毛材２，２を側面２０ｂ，２０ｂで接合して成形できる。なお、主毛材２にカールをかけるとすれば、側面２０ｂが湾曲されている金型を使用する。いずれにしても、補助部材７は、主毛材２に接着して取り付ける。
【００１５】
なお、まつ毛本体１の先端部を先細にするには、素材としての熱可塑性の繊維の長さ中間部を加熱しながら両端を引っ張って飴のように伸ばして、伸びて細くなった部分を先細の部分に利用する手段を取ることもできる。
【００１６】
図１および図２は、目Ｅに対して使用する２類型の組付けまつ毛Ｐ，Ｑ，Ｑを示したもので、実施例として中央に示す組付けまつ毛Ｐおよびその両端の組付けまつ毛Ｑ，Ｑは、それぞれ目元に接着して取り付ける増毛基材１と、増毛基材１に追加される１本以上ないし多数本の副毛材３，３，・・とからなる。また、この場合、増毛基材１および副毛材３，３，・・は、それぞれ熱可塑性ポリエステルの繊維から形成される。まず、実施例１として中央の組付けまつ毛Ｐについて具体的に説明する。
【実施例１】
【００１７】
組付けまつ毛Ｐは、目元に沿って接着される縁部材５の両端に主毛材２，２を屈折して設けてＵ字形に近い形状であるが、縁部材５の上に平行に補助部材７が設けられ、その両端が主毛材２，２に接着され一体化される。この補助部材７は、副毛材３，３，・・を安定して支持する補強となるものである。
【００１８】
また、この組付けまつ毛Ｐは、幅が両主毛材２，２の間として一定に決まっているので、目Ｅを見ながら、その間隔に合った一対の生えまつ毛Ｓ１，Ｓ２を選定する。そして、柱となるこの生えまつ毛Ｓ１，Ｓ２に主毛材２，２を添えてそれに接着するとともに、縁部材５を目元に接着する。なお、この場合は、選択した生えまつ毛Ｓ１，Ｓ２の間には、３本の比較的短い生えまつ毛Ｓ，Ｓ，Ｓが存在するので、それを補助部材７に接続しその安定性を確保する。
【００１９】
次に、両主毛材２，２の間に副毛材３，３，・・を等間隔おきに装着する。この場合、縁部材５と補助部材７とに接着し、二点支持となるので副毛材３，３，・・に倒れ難い安定性が得られる。これで副毛材３，３，・・を整然とした美の規律に保持できる。
【実施例２】
【００２０】
組付けまつ毛Ｑ，Ｑについては、上記組付けまつ毛Ｐの両横に連続して装着するので、その側において主毛材２が欠除し、縁部材５と主毛材２とからなるＬ字形であって、主毛材２に補助部材７が取り付けられる。
【００２１】
この使用については、組付けまつ毛Ｐの両横に柱となる生えまつ毛Ｓ３，Ｓ４を選定し、組付けまつ毛Ｐと生えまつ毛Ｓ３（又はＳ４）との間の間隔に合わせ、組付けまつ毛Ｑ，Ｑを長さ調整する。つまり、縁部材５と補助部材７との端を切り取り適度に短くする。そして、前記と同じように、主毛材２を生えまつ毛Ｓ３（又はＳ４）に添えて接着するとともに、縁部材５を目元に接着し、さらに、縁部材５と補助部材７の端をそれぞれ生えまつ毛Ｓ１（又はＳ２）に接着する。
【００２２】
組付けまつ毛Ｑについて、こうして装着した後、前記と同じように、副毛材３，３を縁部材５と補助部材７との二点に接着して取り付ける。
【００２３】
図２は、以上のようにして、組付けまつ毛Ｐ，Ｑ，Ｑを配列して目Ｅに装着した状態を示したもので、多数本の副毛材３，３，・・が同一平面に等間隔に綺麗に配列される。なお、同図に示すように、目Ｅの両端においては、主毛材２や副毛材３において外側に曲がるカールがかけられている。これには、予め毛材２，３にカールをかけたものを使用したが、施術現場でコテ等でカールをかけることもできる。
【符号の説明】
【００２４】
Ｐ，Ｑ  組付けまつ毛
Ｅ  目
Ｓ，Ｓ１，Ｓ２，Ｓ３，Ｓ４  生えまつ毛
１  増毛基材
２  主毛材
３  副毛材
５  縁部材
７  補助部材
【図１】
0003168802.tif 000003
【図２】
0003168802.tif 000004
【図３】
0003168802.tif 000005
【図４】
0003168802.tif 000006